(57)【特許請求の範囲】
【請求項１】
ビニルハウスを形成する骨組材に沿って張設されるシート材を巻き上げ、あるいは巻き戻すためのシート巻上装置であって、
前記シート材の一端縁に取り付けた巻上げパイプの一端を挿入して接続する開口部と、この開口部の反対側に突設された略Ｕ字状の第１の連結金具とを有する第１のカップ体と、
前記巻上げパイプをパイプ軸回りに回動させるためのハンドルと、
前記第１のカップ体と対をなし、前記ハンドルの一端を挿入して接続する開口部と、この開口部の反対側に突設され、前記第１連結金具と交叉状態に連結した略Ｕ字状の第２の連結金具とを有する第２のカップ体と、
を備え、
前記第１の連結金具の突出長さを、前記第２の連結金具の突出長さよりも長くした
ことを特徴とするシート巻上装置。
【請求項２】
前記第１の連結金具及び前記第２の連結金具を、それぞれ同一形状に形成した前記第１のカップ体及び前記第２のカップ体の各カップ本体に着脱自在に取付けた
ことを特徴とする請求項１記載のシート巻上装置。
【請求項３】
前記ハンドルは、
前記第２のカップ体の開口部に一端を挿入連結する延長回動部材と、
この延長回動部材の他端を挿入する開口部を形成したアダプタ部と、
このアダプタ部の前記開口部の反対側に形成したボス部に一端を連結し、他端にグリップ部を形成したクランク部材と、
からなり、
前記アダプタ部に形成したボス部の外形を、六角ボルトの頭部形状として、電動式あるいはエア式回転工具の回転軸に取付けるソケットを嵌装可能とした
ことを特徴とする請求項１又は請求項２に記載のシート巻上装置。
【発明の詳細な説明】
【技術分野】
【０００１】
この発明は、ビニルハウスを形成する骨組材に沿って張設されるシート材を巻き取るためのシート巻上装置に関する。
【背景技術】
【０００２】
農業用のビニルハウスは、アルミや鉄鋼製のパイプ材などからなる骨組材を組上げ、骨組材に沿って合成樹脂フィルムからなるシート材を張設して構成されている。従来、かかるビニルハウスの中には、農作物や、その他の生育させる植物に応じてハウス内の温度や湿度を適切に調整するため、ビニルハウスの側面に張設されたシート材を巻取機で巻き取ることにより換気用開口を形成して換気を行えるようにしたものがあった（例えば、特許文献１を参照。）。
【０００３】
また、例えば、連棟タイプのビニルハウスでは、ハウスの屋根部間に形成される谷部にハウス換気装置を設けたものがあり、このハウス換気装置の場合であってもやはり巻取機を用いることが多く、この巻取機で谷部を被覆しているシート材を巻き取ることにより換気用開口を形成して換気を行っている。
【０００４】
開閉されるシート材の上縁部は、換気用開口部近傍のパイプに固定具（図示せず）を用いて固定しており、開閉用のシート材の下縁部は、ビニルハウスの長手方向へ配した巻上げパイプに固定具（図示せず）を用いて固定している。巻上げパイプの一端側はビニルハウスの正面（妻面）から適宜長だけ延出させてあり、この巻上げパイプの一端に、開閉用のシート材を巻き取る巻取機を連結している。
【０００５】
図２２に、ビニルハウスの正面と長手方向の両側面にそれぞれ巻取機を配設した場合の一例を示す。図中、１００はビニルハウス、２００はビニルハウスの正面のシート材の下端部を連結した妻面（正面）パイプ、３００は妻面用巻取機、３１０はその操作ロッド、４００はビニルハウスの側面のシート材の下端部を連結した側面パイプ、５００は妻面用巻取機、５１０はその操作ロッドである。
【特許文献１】特開２００６−３２１６５５号公報
【発明の開示】
【発明が解決しようとする課題】
【０００６】
例えば、特許文献１に記載の巻取機であれば、その直下に障害物などがあっても操作ロッドを傾動させた状態で回転操作可能な構成としているものの、その構成が複雑でコスト高となる要因となっている。
【０００７】
また、図２２に示したように、ビニルハウスの妻面（正面）と長手方向の側面にそれぞれ巻取機３００，５００を配設した場合、妻面用巻取機３００を取り付けた妻面パイプ２００と側面用巻取機５００を取り付けた側面パイプ４００とが、その軸線方向で上下に交差してしまう。そのため、下側に位置する妻面パイプ２００に連結固定したシート材を正面用巻取機３００で巻上げるには、先ず、上側に位置する側面パイプ４００を、側面用巻取機５００を操作して上昇させなければならず、妻面のみに換気用開口６００を形成する場合であっても２台の巻取機３００，５００を操作しなければならなかった。このようなことは、風向きなどによって換気用開口６００を設ける位置が変わるためにしばしば起こりがちであった。
【０００８】
したがって、市場からは、より安価で、かつ操作性がより良好なシート巻上装置の提供が望まれており、本発明は、上述した課題を解決することのできるシート巻上装置を提供することを目的としている。
【課題を解決するための手段】
【０００９】
（１）本願発明は、ビニルハウスを形成する骨組材に沿って張設されるシート材を巻き上げ、あるいは巻き戻すためのシート巻上装置であって、前記シート材の一端縁に取り付けた巻上げパイプの一端を挿入して接続する開口部と、この開口部の反対側に突設された略Ｕ字状の第１の連結金具とを有する第１のカップ体と、前記巻上げパイプをパイプ軸回りに回動させるためのハンドルと、前記第１のカップ体と対をなし、前記ハンドルの一端を挿入して接続する開口部と、この開口部の反対側に突設され、前記第１連結金具と交叉状態に連結した略Ｕ字状の第２の連結金具とを有する第２のカップ体とを備え、前記第１の連結金具の突出長さを、前記第２の連結金具の突出長さよりも長くしたことを特徴とする。
【００１０】
（２）本願発明は、上記（１）において、前記第１の連結金具及び前記第２の連結金具を、それぞれ同一形状に形成した前記第１のカップ体及び前記第２のカップ体の各カップ本体に着脱自在に取付けたことを特徴とする。
【００１１】
（３）本願発明は、上記（１）又は（２）において、前記ハンドルは、前記第２のカップ体の開口部に一端を挿入連結する延長回動部材と、この延長回動部材の他端を挿入する開口部を形成したアダプタ部と、このアダプタ部の前記開口部の反対側に形成したボス部に一端を連結し、他端にグリップ部を形成したクランク部材とからなり、前記アダプタ部に形成したボス部の外形を、六角ボルトの頭部形状として、電動式あるいはエア式回転工具の回転軸に取付けるソケットを嵌装可能としたことを特徴とする。
【発明の効果】
【００１２】
本発明によれば、きわめて簡単な構成でありながら、シート材の巻上操作、巻戻操作が極めて良好となり、しかも、装置自体の材料原価を低減して安価に提供することが可能である。
【発明を実施するための最良の形態】
【００１３】
本実施形態に係るシート巻上装置は、ビニルハウスを形成する骨組材に沿って張設されるシート材を巻き上げ、あるいは巻き戻すためのものであって、シート材の一端縁に取り付けた巻上げパイプの一端を挿入して接続する開口部と、この開口部の反対側に突設された略Ｕ字状の第１の連結金具とを有する第１のカップ体と、巻上げパイプをパイプ軸回りに回動させるためのハンドルと、第１のカップ体と対をなし、前記ハンドルの一端を挿入して接続する開口部と、この開口部の反対側に突設され、第１の連結金具と交叉状態に連結した略Ｕ字状の第２の連結金具とを有する第２のカップ体とを備え、前記第１の連結金具の突出長さを、前記第２の連結金具の突出長さよりも長くした構成としている。
【００１４】
すなわち、シート材の一端縁に取り付けた巻上げパイプの一端若しくは前記巻上げパイプをパイプ軸回りに回動させるためのハンドルの一端を挿入して接続する開口部と、この開口部の反対側に突設された略Ｕ字状の連結金具とをそれぞれ有する１対のカップ体とからなり、前記連結金具同士を互いに交叉状に連結するとともに、巻上パイプ側に連結されるカップ体に設けた連結金具の長さを、ハンドルに連結されるカップ体に設けた連結金具よりも長くした構成したシート巻上装置としている。
【００１５】
このシート巻上装置では、第１の連結金具と第２の連結金具とを交叉状態に連結し、第１の連結金具の突出長さを、第２の連結金具の突出長さよりも長くしたので、シート巻上装置と巻上げパイプ間においては、連結金具を介して左右角度及び上下角度を自由に変更することが可能となるとともに、ハンドルの回転停止する場合には、第１の連結金具と第２の連結金具とを略直角の角度に折り曲げることにより容易に回転を止めることができ、シート材を任意の高さ位置で保持固定することが可能となる。
【００１６】
したがって、使い勝手の極めて良好なシート巻上装置となり、巻上げパイプの軸線上に障害があってハンドル回転操作が難しい場合であっても、軸線上から離間した位置にハンドルを移動させて回転操作することができ、回転力を巻上げパイプに伝達してシート材の巻上操作を簡便に行うことができ、所望する高さ位置で巻上パイプを保持することも簡単に行えるようになる。
【００１７】
このように、本実施形態によれば、きわめて簡単な構成で、安価に製造可能でありながら、操作性が著しく向上したシート巻上装置が提供可能である。
【００１８】
また、これら第１の連結金具及び前記第２の連結金具は、各カップ本体に着脱自在に取付けている。例えば、棒材を湾曲状に折曲して略Ｕ字状に形成した連結金具の左右の端部近傍それぞれに係合溝を形成しておき、かかる連結金具に対して、カップ体の基部（開口部と反対側をなす部位）に２つの挿入孔部を形成するとともに、この挿入孔部の深さ方向を横断する横断孔を設けておく。そして、各挿入孔部に、連結金具の左右の端部を挿通して、連結金具の２つの係合溝と係合するように前記横断孔からピン体を挿入してこれを止着するのである。したがって、ピン体を抜き取れば、連結金具は挿入孔部から容易に抜き取ることができる。
【００１９】
これら第１のカップ体と第２のカップ体とはそれぞれ同一形状に形成するとよく、同一形状であれば同一の金型を用いることができ製造コストをより低減することができる。
【００２０】
さらに、このハンドルは、第２のカップ体の開口部に一端を挿入連結する延長回動部材と、この延長回動部材の他端を挿入する開口部を形成したアダプタ部と、このアダプタ部の開口部の反対側に形成したボス部に一端を連結し、他端にグリップ部を形成したクランク部材とからなり、アダプタ部に形成したボス部の外形を、六角ボルトの頭部や六角ナットと同様な外形形状として、電動式あるいはエア式回転工具の回転軸に取付けるソケットを嵌装可能とした構成とすることができる。
【００２１】
このように、ボス部に回転工具のソケットを嵌装可能としたことにより、電動式あるいはエア式回転工具を適用することができ、いわゆる手動式のシート巻上装置から、電動式（好ましくは充電式）、エア式の自動シート巻上装置へ容易に変更することが可能となる。
【００２２】
本実施形態に係るシート巻上装置について、添付図面を参照しながらより具体的に説明する。図１は本実施形態に係るシート巻上装置の使用様態を示す説明図、図２は同シート巻上装置の説明図、図３は同巻上装置の連結部を示す斜視図、図４は同正面図、図５は同平面図、図６は図４のＡ−Ａ断面図、図７は同Ｂ−Ｂ断面図、図８は同Ｃ−Ｃ断面図、図９は本実施形態に係るシート巻上装置が備えるハンドルの説明図。図１０及び図１１はハンドル操作の一例を示す説明図である。
【００２３】
図１に示すように、本実施形態におけるビニルハウスＡは、所定の骨組材によって正面視蒲鉾状の形状に組上げられ、骨組材に沿って合成樹脂フィルムからなるシート材１を張設して構築している。すなわち、図示しない複数のアーチ形状の屋根用パイプを、構築するビニルハウスＡの長手方向へ適宜間隔を隔てて立設するとともに、各屋根用パイプ間に長手状の連結パイプ（図示せず）を複数条連結固定し、これら各パイプからなる骨組材に沿ってシート材１で覆っている。
【００２４】
図１において、１０はハウス妻面部、１１はハウス側面部であり、各面を実質的に形成するシート材１の下端縁部は、それぞれ上下昇降自在に配設された妻面パイプ２と側面パイプ３とに連結されており、各パイプ２，３の一端に本実施形態に係るシート巻上装置４がそれぞれ取付けられている。
【００２５】
そして、このシート巻上装置４を操作することにより、シート材１を妻面パイプ２と側面パイプ３とに巻き取りながら巻き上げて、ハウス妻面部１０及びハウス側面部１１にそれぞれ換気用開口１２，１３を形成可能としている。本実施形態では、前記妻面パイプ２と側面パイプ３とが巻上げパイプに相当する。なお、シート材１の上端縁部は、ハウス妻面部１０やハウス側面部１１を形成するために横架した複数の連結パイプのうちの一つに適宜固定具により連結固定している。また、妻面パイプ２と側面パイプ３のシート巻上装置４がそれぞれ取付けられた一端側は、ビニルハウスＡのハウス妻面部１０やハウス側面部１１から僅かに延出していても、シート巻上装置４は極めてコンパクトなため、シート材１の巻き上げ、巻き戻し操作に支障はない。
【００２６】
図１において、５は側面パイプ３，３同士を連結するパイプジョイントであり、詳しくは後述するが、このパイプジョイント５を用いることにより、側面パイプ３，３を所望する長さに形成することができる。
【００２７】
本実施形態の要部をなすシート巻上装置４は、図２及び図３に示すように、シート材１の一端縁に取り付けた妻面パイプ２又は側面パイプ３の一端と連結する連結部６と、この連結部６に回動自在に連結したハンドル７とから構成されている。
【００２８】
より具体的に説明すると、シート材１の一端縁に取り付けた妻面パイプ２又は側面パイプ３の一端を挿入して接続する開口部６１ａと、この開口部６１ａの反対側に突設された略Ｕ字状の第１の連結金具６３とを有する第１のカップ体６１と、妻面パイプ２又は側面パイプ３をパイプ軸回りに回動させるためのハンドル７と、第１のカップ体６１と対をなし、前記ハンドル７の一端を挿入して接続する開口部６２ａと、この開口部６２ａの反対側に突設され、前記第１の連結金具６３と交叉状態に連結した略Ｕ字状の第２の連結金具６４とを有する第２のカップ体６２とを備えている。
【００２９】
すなわち、連結部６は、第１、第２のカップ体６１，６２と各カップ体６１（６２）に取付けた第１、第２の連結金具６３，６４とから構成されており、この連結部６の構成に特徴がある。なお、ハンドル７と接続される第２のカップ体６２はハンドル７側から回転力が入力されることから入力カップと呼び、ハンドル７側からからの回転力を妻面パイプ２又は側面パイプ３に伝達する第１のカップ体６１は出力カップと呼ぶこともできる。
【００３０】
また、ハンドル７は、図２及び図９に示すように、一端にグリップ部７１ａを設けてクランク状に形成したハンドル本体７１と、このハンドル本体７１の他端を連結したアダプタ部７２と、このアダプタ部７２に連結したパイプ状の延長回動部材７３とから構成されている。したがって、本実施形態では、第２のカップ体６２に接続されるハンドル７の始端は延長回動部材７３の始端となっている。なお、ハンドル７の構成については、後にさらに詳述する。
【００３１】
先ず、第１、第２のカップ体６１，６２と、各カップ体６１（６２）に取付けた第１、第２の連結金具６３，６４から構成される連結部６について説明する。
【００３２】
図６に示すように、連結部６の第１のカップ体６１は、妻面パイプ２又は側面パイプ３を挿通するための開口部６１ａが形成され、第２のカップ体６２にはハンドル７を挿通するための開口部６２ａが所定深さで円筒状に形成されている。なお、図３〜図８に示すように、本実施形態においては、第１、第２のカップ体６１，６２は、前記開口部６１ａ，６２ａの深さを含めて、それぞれ同じカップ形状に形成している。
【００３３】
なお、このように第１、第２のカップ体６１，６２は実質的に同一形状なので、その具体的な部位の説明として、以下では、適宜、第１のカップ体６１又は第２のカップ体６２のいずれかを例にとって説明する場合がある。
【００３４】
図４〜図６に示すように、第１のカップ体６１（第２のカップ体６２）は、その周面に所定間隔をあけて肉厚部６１ｂ，６１ｂ（６２ｂ，６２ｂ）を形成しており、その肉厚部６１ｂ（６２ｂ）同士に跨ってビス座面６１ｃ（６２ｃ）を形成するとともに、このビス座面６１ｃ（６２ｃ）の前記肉厚部６１ｂ（６２ｂ）に位置する箇所に、貫通孔６１ｄ（６２ｄ）を形成している。
【００３５】
この貫通孔６１ｄ（６２ｄ）は、第１のカップ体６１（第２のカップ体６２）の外周面から開口部６１ａ（６２ａ）の内周面に貫通しており、かかる貫通孔６１ｄ（６２ｄ）に、開口部６１ａ（６２ａ）に挿入した妻面パイプ２又は側面パイプ３（ハンドル７の延長回動部材７３）を押圧固定するためのビス材（図示せず）を螺合することによって、延長回動部材７３（妻面パイプ２又は側面パイプ３）が離脱抜去しない構成としている。なお、ビス材は、頭部がビス座面６１ｃ（６２ｃ）と面一状態となるように貫通孔６１ｄ（６２ｄ）内に螺着されてカップ体（６１，６２）の周面からは突出しないため、シート材１に当接してこれを破断させたりするおそれがない。
【００３６】
また、第１のカップ体６１及び第２のカップ体６２の各基部６２ｅについても肉厚状に形成している。第１のカップ体６１と同形の第２のカップ体６２を例にとって説明すると、図６に示すように、開口部６２ａの底面から第２のカップ体６２の端面にわたって厚肉にして、この肉厚部分とした基部６２ｅに棒材をＵ字状に形成した第２の連結金具６４を突設している。
【００３７】
すなわち、第１のカップ体６１、第２のカップ体６２の基部６１ｅ，６２ｅに取り付けられる第１の連結金具６３、第２の連結金具６４は、２本の真っ直ぐな直線部６３０と、かかる直線部６３０，６３０が連結された湾曲部６３１，６３１とからなる略Ｕ字状に形成されており、湾曲部６３１同士がクロスして係合することになるため、第１の連結金具６３と第２の連結金具６４とは交叉状態に連結されることになる。
【００３８】
そして、直線部６３０，６３０に、後述するピン体６１ｈを係合する切欠部からなる係合溝６３２，６３２を形成する一方、第１のカップ体６１（第２のカップ体６２）の基部６１ｅ（６２ｅ）の端面に、第１の連結金具６３（第２の連結金具６４）の２つの直線部６３０，６３０に対応する挿通孔６１ｆ、６１ｆを穿設し、さらに、図８に示すように、これら挿通孔６１ｆ，６１ｆの深さ方向を横断する固定孔６１ｇを設けておく。
【００３９】
かかる構成により、各挿入孔６１ｆに、第２の連結金具６４の左右の直線部６３０を挿通し、２つの係合溝６３２，６３２と係合するように前記固定孔６１ｇからピン体６１ｈを挿入すれば、第２の連結金具６４をしっかりと止着することができる。また、ピン体６１ｈを抜き取れば、第１の連結金具６３（第２の連結金具６４）は挿通孔６１ｆ，６１ｆから容易に抜き取ることもできる。したがって、第１の連結金具６３や第２の連結金具６４が損傷した場合に、それだけの交換などを含めてメンテナンスも容易である。
【００４０】
図６において、６１ｉ，６２ｉは第１、第２のカップ体６１，６２の開口部６１ａ，６２ａの底面に、周面から中心方向に向けて伸延形成した回転防止用リブであり、この回転防止用リブ６１ｉ，６２ｉを、妻面パイプ２又は側面パイプ３やハンドル７の先端に形成した図示しない係合溝に嵌合させることにより、妻面パイプ２又は側面パイプ３やハンドル７と第１、第２のカップ体６１，６２との間での回転の伝達が確実に行われるようにしている。
【００４１】
次に、図２及び図９を参照してハンドル７について説明する。
【００４２】
前述したように、ハンドル７は、一端にグリップ部７１ａを設けてクランク状に形成したハンドル本体７１と、このハンドル本体７１の他端を連結するアダプタ部７２と、このアダプタ部７２に連結したパイプ状の延長回動部材７３とから構成されている。
【００４３】
アダプタ部７２は、一端を前述した第２のカップ体６２に連結する延長回動部材７３の他端部が挿通される第１開口部７２ａを前面部に形成した大径部７２ｂの背部に、ハンドル本体７１を連結するボス部７２ｃを背面に突設した小径部７２ｄが一体的に形成されている。
【００４４】
そして、大径部７２ｂには、第１開口部７２ａに貫通するパイプ固定用貫通孔７２ｅが形成され、このパイプ固定用貫通孔７２ｅに固定ネジ７２ｆを螺合挿通し、固定ネジ７２ｆで延長回動部材７３を側部から押圧して連結固定する構成としている。なお、固定ネジｆの頭部は、大径部７２ｂの周面と面一状態となるようにパイプ固定用貫通孔７２ｅ内に螺着されている。したがって、アダプタ部７２として、最外側に鋭利な部材が突出することはないため安全性は損なわれない。
【００４５】
一方、前記ボス部７２ｃには、ハンドル本体７１の先端部を嵌入する第２開口部７２ｇが形成されるとともに、当該第２開口部７２ｇに挿入されるハンドル本体７１の先端部を固定するための貫通孔（図示せず）が設けられている。そして、この貫通孔に固定ボルト７２ｈを挿通し、ナット７２ｉで固定することにより、ハンドル本体７１を確実に連結固定する構成としている。
【００４６】
かかる構成により、グリップ部７１ａを把持してハンドル７を回転すると、その回転が第２のカップ体６２に伝達され、第２のカップ体６２の回転が湾曲部６３１同士で交叉状に係合した第１、第２の連結金具６３，６４とから構成される連結部６を介して第１のカプ体６１に伝達されて、この第１のカプ体６１に連結された妻面パイプ２又は側面パイプ３がパイプ軸回りに回転し、シート材１を当該妻面パイプ２又は側面パイプ３に巻き取りながら巻き上げることができる。
【００４７】
上記構成において、本実施形態に係るシート巻上装置４の特徴となるのは、図４〜図６（特に図５を参照）に示すように、すなわち、巻き上げられる妻面パイプ２又は側面パイプ３を連結する第１のカップ体６１に設けた第１の連結金具６３の突出長さＨ１の方を、巻上操作するハンドル７を連結する第２のカップ体６２に設けた第２の連結金具６４の突出長さＨ２よりも長くした点にある。
【００４８】
かかる構成としたことで、ハンドル７の回転操作で円滑に妻面パイプ２又は側面パイプ３の巻き上げや巻き戻しが行えるとともに、その巻き上げや巻き戻しを、所望位置で簡単にロックすることが可能となる。
【００４９】
ここで、図５及び図６を用いて、本実施形態における第１の連結金具６３と第２の連結金具６４の寸法的な特徴点を説明する。
【００５０】
第１の連結金具６３及び第２の連結金具６４の軸径Ｄについては、強度計算に基づいて決定すればよいが、本実施形態では、Ｄ=６ｍｍとしている（図６）。
【００５１】
また、第１の連結金具６３の突出長さＨ１=３２ｍｍ、第２の連結金具６４の突出長さＨ２=１３ｍｍとし、両連結金具６３，６４の内寸幅Ｗ＝８ｍｍとしている。
【００５２】
さらに、第１の連結金具６３の内寸高さＬ１＝２５ｍｍ、第２の連結金具６４の内寸高さＬ２＝７ｍｍとしている。この内寸幅Ｗと、特に内寸高さＬ１，Ｌ２については、シート巻上装置４の操作性や安全性の確保のためには重要であり、略Ｕ字状とした両連結金具６３，６４の内寸高さＬ１，Ｌ２と、両連結金具６３，６４の軸径Ｄとの関係について、本実施形態では、
Ｄ＜Ｌ２≦２Ｄ＜Ｌ１
の条件が成立するようにしている。
【００５３】
すなわち、連結部６を構成する上で、第１の連結金具６３の内寸高さＬ１と第２の連結金具６４の内寸高さＬ２との関係については、以下のことが分かった。
【００５４】
本実施形態のように、
（１）Ｄ＜Ｌ２≦２Ｄ＜Ｌ１とした場合は、例えば、妻面パイプ２又は側面パイプ３を巻き上げあるいは巻き戻しする際に、所望する高さ位置で保持しようとした場合、図１０に示すように、第２のカップ体６２に接続されたハンドル７側を鉛直下方へ垂下させるだけでよい。すなわち、この状態では、図示するように、ハンドル７側の第２のカップ体６２に取付けられた突出長さＨ２（内寸高さＬ２）が短い第２の連結金具６４は、突出長さＨ１（内寸高さＬ１）が長い第１の連結金具６３の直線部６３０の基端部側に吊下した状態となる。この場合、妻面パイプ２又は側面パイプ３が自重で下方へ降下しようとしても、第１の連結金具６３の直線部６３０が第２の連結金具６４や第２のカップ体６２に係止状態となってロックされる。ハンドル７側の重量が著しく軽い場合は、ハンドル７を跳ね上げ回転させながらでも下降するおそれはあるが、本実施形態では、そのようなことのないように延長回動部材７３を含むハンドル７の重量を設定している。なお、図１０において、９はビニルハウスＡの骨組材の一である柱材である。
【００５５】
（２）Ｄ＜Ｌ１＝Ｌ２≦２Ｄの条件の場合、
つまり、第１の連結金具６３と第２の連結金具６４の内寸高さが等しく、かつ軸径Ｄとさほど差がない場合で、具体的には、第１のカップ体６１にも第２の連結金具６４を取付た場合である。
【００５６】
第１の連結金具６３と第２の連結金具６４との係合は、互いの湾曲部６３１同士が係合する。したがって、この条件では、ハンドル７側を鉛直下方へ垂下させても、第１の連結金具６３には必要なだけの直線部６３０の長さがないため、第２の連結金具６４は第１の連結金具６３の湾曲部６３１の位置で垂下することになる。したがって、第１の連結金具６３は第２の連結金具６４や第２のカップ体６２に対して係止状態とはならず、湾曲部６３１同士の位置でハンドル７側を軸回りに回転させながら妻面パイプ２又は側面パイプ３は自重で下方へ降下してしまう。
【００５７】
（３）２Ｄ＜Ｌ１＝Ｌ２の条件の場合、
この場合は、ロック状態にはなったとしても、ハンドル７の回転操作で妻面パイプ２又は側面パイプ３の巻き上げや巻き戻しを円滑に行うことができなくなる。すなわち、両連結金具６３，６４ともに十分な長さの直線部６３０を有するため、直線部６３０同士が絡み合うおそれがあり、その状態ではハンドル７を回転させると妻面パイプ２又は側面パイプ３が波打つように回転して異常な負荷が使用者側にかかり、操作性が著しく損なわれてしまう。
【００５８】
（４）Ｄ＜Ｌ１≦２Ｄ＜Ｌ２の条件の場合、
この場合も、（２）の条件の場合で説明したように、第１の連結金具６３には必要なだけの直線部６３０の長さがないため、第２の連結金具６４は第１の連結金具６３の湾曲部６３１の位置で垂下することになる。したがって、第１の連結金具６３は第２の連結金具６４や第２のカップ体６２に対して係止状態とはならない。しかも、妻面パイプ２又は側面パイプ３の巻き上げや巻き戻しの際に、ハンドル７を引張り勝手で操作すればよいが、すこしでも弛むと、第２の連結金具６４の直線部６３０が第１の連結金具６３の湾曲部６３１と係合した状態となりやすく、（３）の条件の場合と同じように操作性が損なわれてしまう。
【００５９】
このように、ハンドル７を連結する第２のカップ体６２に設けた第２の連結金具６４の突出長さＨ２（内寸高さＬ２）よりも、巻き上げられる妻面パイプ２又は側面パイプ３を連結する第１のカップ体６１に設けた第１の連結金具６３の突出長さＨ１（内寸高さＬ１）を長くしたため、ハンドル７の操作による回転力が円滑に妻面パイプ２又は側面パイプ３に伝達され、図１に示すように、ビニルハウスＡのハウス妻面部１０及びハウス側面部１１に容易に換気用開口１２，１３を形成することができる。
【００６０】
また、所定の巻き上げ位置で停止させたい場合、使用者は、ハンドル７の延長回動部材７３の軸線と妻面パイプ２又は側面パイプ３の軸線とが略直交状態となるように連結部６を介して折曲させれば、妻面パイプ２又は側面パイプ３はその位置でロック状態となる。なお、このときの略直交状態というのは、水平方向でも鉛直方向（例えば、図１０を参照）でもいかなる方向でもよいが、鉛直方向にした場合、ハンドル７の延長回動部材７３の長さによっては地面に干渉するため、ビニルハウスＡ側に折り曲げて、所定の固定具などでハンドル７を保持すればよい。
【００６１】
図１１にハンドル７の操作可能領域αとパイプロック可能領域βとを示している。図示するように、本実施形態によれば、妻面パイプ２又は側面パイプ３の軸線を中心として略９０度の範囲が操作可能領域αであり、この領域α内であれば円滑なハンドル操作が可能であり、その外方の略４５度の範囲がパイプロック領域βとなり、この領域β内であれば、妻面パイプ２又は側面パイプ３の上下移動をロックすることが容易に行える。
【００６２】
以上説明してきたように、本実施形態に係るシート巻上装置４によれば、きわめて簡単な構成で、安価に製造可能でありながら、操作性が著しく向上する。また、第１のカップ体６１と第２のカップ体６２とを同形としたため同一金型で効率よく製造することができるので、よりコストダウンが図れる。
【００６３】
なお、第１のカップ体６１と第２のカップ体６２とは、出力カップ、入力カップとしての機能的な違いはあるものの構成的に違いがないため、外見上は両者の区別がつけ難い。妻面パイプ２又は側面パイプ３、あるいはハンドル７をいずれのカップ体６１（６２）に取付ければよいか判断する場合、各カップ体６１（６２）に取付けられた第１の接続金具６３と第２の接続金具６４との突出長さＨ１，Ｈ２の違いによって判断することもできるが、より確実な誤認防止のために、本実施形態では、第１のカップ体６１と第２のカップ体６２とを色分けしている。ここでは、第１のカップ体６１を緑色に、第２のカップ体６２を赤色にしている。なお、用いる色は区別がつけば何でもよい。
【００６４】
また、本実施形態に係るシート巻上装置４は、図９に示したように、ハンドル７におけるアダプタ部７２の大径部７２ｂの背部にはハンドル本体７１を連結するボス部７２ｃが形成されているが、ここでは、このボス部７２ｃ外形を六角ボルトの頭部や六角ナットの規格に対応した形状としている。したがって、ハンドル本体７１に代えて、図１２に示すように、所定のソケット８１を備えた電動式あるいはエア式の回転工具８を用いることができる。
【００６５】
このように、ボス部７２ｃ外形を回転工具８のソケット８１を装着可能にしたことにより、シート材１の巻上操作などにかかる肉体的な負担を大きく軽減することができる。なお、上記回転工具８を用いる場合は、特に、連棟式のビニルハウスの谷部に形成された換気用開口部におけるシート材１の巻き上げ、巻き戻しに好適である。なお、回転工具８としては、充電式のものを用いることが望ましい。
【００６６】
ところで、本実施形態におけるビニルハウスＡでは、側面パイプ３，３同士をパイプジョイント５で連結して所望長さにしている（図１参照）。
【００６７】
このパイプジョイント５は、図１３〜図１８に示すように、上述してきたシート巻上装置４の連結部６と基本的に同一構造である。なお、シート巻上装置４の連結部６と異なるのは、第１、第２の連結金具６３，６４の突出長さが同じである点のみあるため、ここでの説明は図示をもって省略する。
【００６８】
かかるパイプジョイント５により、例えば複数の側面パイプ３がパイプジョイント５を境にして所定の角度で折り曲げられた状態で連結されていても、シート巻上装置４が操作されれば、全体が巻き上げられることになる。なお、このパイプジョイント５は、側面パイプ３のみならず、妻面パイプ２にも適用可能である。
【００６９】
すなわち、図１９に示したビニルハウスＢのように、ハウス妻面部１０やハウス側面部１１が平面視で直線状ではなく折れ曲がっていても、複数の妻面パイプ２又は側面パイプ３間をパイプジョイント５で連結すれば、シート巻上装置４を操作することにより、シート材１を巻上げ又は巻戻して換気用開口部１２，１３を開閉することが可能となる。
【００７０】
このように、パイプジョイント５を用いることで、変形したタイプのビニルハウスＢであっても換気用開口部１２，１３を形成することが可能なため、例えば、土地の境界部分が直線的でない場合においても、図２０に示すように、境界部近傍には変形タイプのビニルハウスＢを構築することで、ビニルハウスの棟数を確保することができ、土地の有効利用が図れる。
【００７１】
なお、パイプジョイント５を用いることにより、図示したビニルハウスＢのような形状のみならず、さまざまな変形タイプのビニルハウスの形に対してもフレキシブルに対応できるため、様々なタイプのビニルハウスの側面に、換気用開口部１２，１３を簡易に形成することが可能となる。
【００７２】
たとえば、図２１に示すように、起伏がある土地に構築されたビニルハウスＣは、ハウスＣ自体も起伏した形状となってしまう。そのような場合でも、本実施形態のパイプジョイント５を用いて側面パイプ３同士を連結すれば、図示するように、ハウス妻面１０側に位置する側面パイプ３の一端に前述してきたシート巻上装置４や従来の巻上装置などを装着すれば、その操作によって、上下に起伏状態に連結された複数の側面パイプ３であっても、同時に巻き上げ、あるいは巻き戻しが行える。
【００７３】
また、パイプジョイント５の用途として、単にパイプ同士を連結するだけではなく、例えば従来のシート材巻取装置と、これに連結するハンドルとの間にパイプジョイント５を介設することもできる。パイプジョイント５によって、ハンドルの軸をシート材巻取装置の入力軸や巻上パイプの軸に対して折曲した状態にすることができるため、シート材巻取装置をハウス内部に設置した場合や、従来、ハンドルの回転操作を行い難いとされていた場所であっても、シート材の巻き上げ、巻き戻し操作が容易に行えるようになる。
【００７４】
以上、本発明を、好ましい実施の形態に基づいて説明したが、本発明は係る特定の実施形態に限定されるものではなく、特許請求の範囲に記載された本発明の要旨の範囲内において、種々の変形・変更が可能である。
【００７５】
なお、本実施形態では、シート巻上装置４の用途を換気用開口部１２，１３を形成するためとしたが、本発明はこれに限らず、シート材１を巻き上げ、巻き戻すものであれば全て含まれる。また、シート材１としても、例えば、ハウス外張用、ハウス内張用のいずれでもよいし、ハウスの内張りカーテンの開閉、遮光シート、または防虫用シートなどであってもよい。
【００７６】
また、本実施形態では、シート巻上装置４を用いてビニルハウスの妻面（正面）及び側面に換気用開口１２，１３を形成するようにしたが、シート巻上装置４は、連棟式のビニルハウスなどにおける屋根部下部の谷部に設けた換気用開口を開閉する開閉用のシート材の巻取りにも好適に用いられる。さらには、ビニルハウスの屋根部に設けた換気用開口部を開閉するシート材の巻取りにも適用し得る。
【図面の簡単な説明】
【００７７】
【図１】本実施形態に係るシート巻上装置の使用様態を示す説明図である。
【図２】同シート巻上装置の説明図である。
【図３】同巻上装置の連結部を示す斜視図である。
【図４】同正面図である。
【図５】同平面図である。
【図６】図４のＡ−Ａ断面図である。
【図７】同Ｂ−Ｂ断面図である。
【図８】同Ｃ−Ｃ断面図である。
【図９】本実施形態に係るシート巻上装置が備えるハンドルの説明図である。
【図１０】ハンドル操作の一例を示す説明図である。
【図１１】ハンドル操作の一例を示す説明図である。
【図１２】回転工具を用いた例を示す説明図である。
【図１３】パイプジョイントの連結部を示す斜視図である。
【図１４】同正面図である。
【図１５】同平面図である。
【図１６】図１４のＡ−Ａ断面図である。
【図１７】同Ｂ−Ｂ断面図である。
【図１８】同Ｃ−Ｃ断面図である。
【図１９】パイプジョイントを用いた変形ビニルハウスの説明図である。
【図２０】パイプジョイントを用いた変形ビニルハウスの説明図である。
【図２１】パイプジョイントを用いた他の変形ビニルハウスの説明図である。
【図２２】従来のシート巻上装置の使用状態を示す説明図である。
【符号の説明】
【００７８】
Ａ，Ｂ，Ｃ  ビニルハウス
１    シート材
２    妻面パイプ
３    側面パイプ
４    シート巻上装置
５    パイプジョイント
６    連結部
７    ハンドル
８    回転工具
１０    妻面部
１１    側面部
６１    第１のカップ体
６２    第２のカップ体
６１ａ，６２ａ    開口部
６３    第１の連結具
６４    第２の連結具
Ｈ１    第１の連結具の突出長さ
Ｈ２    第２の連結具の突出長さ
【図１】
0004824654.tif 000002
【図２】
0004824654.tif 000003
【図３】
0004824654.tif 000004
【図４】
0004824654.tif 000005
【図５】
0004824654.tif 000006
【図６】
0004824654.tif 000007
【図７】
0004824654.tif 000008
【図８】
0004824654.tif 000009
【図９】
0004824654.tif 000010
【図１０】
0004824654.tif 000011
【図１１】
0004824654.tif 000012
【図１２】
0004824654.tif 000013
【図１３】
0004824654.tif 000014
【図１４】
0004824654.tif 000015
【図１５】
0004824654.tif 000016
【図１６】
0004824654.tif 000017
【図１７】
0004824654.tif 000018
【図１８】
0004824654.tif 000019
【図１９】
0004824654.tif 000020
【図２０】
0004824654.tif 000021
【図２１】
0004824654.tif 000022
【図２２】
0004824654.tif 000023